(57)【特許請求の範囲】
【請求項１】
シューズのアッパー構造であって、
着用者の足を覆うアッパーを備え、
前記アッパーの内甲側領域の一部を伸縮部から構成し、前記アッパーの外甲側領域を非伸縮部から構成するとともに、前記伸縮部を足の内側縦アーチに対応する部分またはその一部の領域に配置するようにした、
ことを特徴とするシューズのアッパー構造。
【請求項２】
請求項１において、
前記伸縮部が足の内側縦アーチに対応する部分またはその一部の領域に配置され、前記非伸縮部が前記伸縮部を除く内甲側領域および外甲側領域に配置されている、
ことを特徴とするシューズのアッパー構造。
【請求項３】
請求項１または２において、
前記伸縮部および前記非伸縮部の境界面が実質的にフラットな面を有している、
ことを特徴とするシューズのアッパー構造。
【請求項４】
請求項３において、
前記境界面が、前記伸縮部および前記非伸縮部の各々の端部の縫製により形成されている、
ことを特徴とするシューズのアッパー構造。
【請求項５】
請求項４において、
前記境界面に縫い目が現れていない、
ことを特徴とするシューズのアッパー構造。
【請求項６】
シューズであって、
着用者の足を覆うアッパーと、
前記アッパーの下部に設けられるアウトソールとを備え、
前記アッパーの内甲側領域の一部を伸縮部から構成しかつ外甲側領域を非伸縮部から構成するとともに、前記伸縮部を足の内側縦アーチに対応する部分またはその一部の領域に配置し、
前記アウトソールの底面において、足の拇指球部領域、子指球部領域および踵骨の載距突起部分にそれぞれ対応する位置を結んでできる三角形状領域またはその内部に溝を形成した、
ことを特徴とするシューズ。
【請求項７】
請求項６において、
前記溝が複数本形成されており、子指球部領域またはその近傍領域に対応する位置を起点として内甲側に向かうにしたがい扇状に分布している、
ことを特徴とするシューズ。
【発明の詳細な説明】
【技術分野】
【０００１】
本発明は、シューズのアッパー（甲被）構造に関し、詳細には、ターン動作時のフィット性およびホールド性を向上させるための構造の改良に関する。
【背景技術】
【０００２】
シューズのアッパー構造として、たとえば特開２００５−３２９２７０号公報に示すようなものが提案されている。当該公報には、アッパーの内甲側および外甲側にそれぞれ内側伸縮部および外側伸縮部を設けたことにより、運動時に踵が上がって足が屈曲する際にアッパーの内側伸縮部および外側伸縮部が足の変形に沿って伸縮することでフィット性が向上すると記載されている（当該公報の段落［０００８］〜［００１１］、［００３２］〜［００３４］および［００５６］〜［００５７］、ならびに図３〜図６参照）。
【発明の概要】
【発明が解決しようとする課題】
【０００３】
しかしながら、上記公報に記載のものでは、踵が上がって足が屈曲する際の足の動きにのみ着目しており、ターン動作時の足の動きに関しては全く考慮されていなかった。その一方、ターン動作時には、蹴り出す足がアッパーの外甲側に移動しようとするため、上記公報に記載のアッパーのように外甲側に伸縮領域が設けられていると、ターン動作時に蹴り出す足に対してホールド性が低下することになる。
【０００４】
本発明は、このような従来の実情に鑑みてなされたもので、本発明が解決しようとする課題は、ターン動作時のフィット性およびホールド性を向上できるシューズのアッパー構造を提供することにある。
【課題を解決するための手段】
【０００５】
本発明に係るシューズのアッパー構造は、着用者の足を覆うアッパーを備え、アッパーの内甲側領域の一部を伸縮部から構成し、アッパーの外甲側領域を非伸縮部から構成するとともに、伸縮部を足の内側縦アーチに対応する部分またはその一部の領域に配置するようにしている（請求項１参照）。
【０００６】
本発明によれば、アッパーの外甲側領域を非伸縮部から構成したことにより、ターン動作時に蹴り出す足がアッパーの外甲側に移動しようとした際には、アッパーの外甲側領域に配置された非伸縮部が足の外甲側を保持して足をホールドする。これにより、ターン動作時のホールド性を向上できる。しかも、本発明においては、アッパーの内甲側領域の一部を伸縮部から構成したので、伸縮部がターン動作時の足の捩じれに追従することができ、これにより、ターン動作時のフィット性を向上できる。
【０００７】
また、本発明では、伸縮部が足の内側縦アーチに対応する部分またはその一部の領域に配置されているので、ターン動作時の足の捩じれに対する伸縮部の追従性を高めることができ、ターン動作時のフィット性を一層向上できる。ここで、「内側縦アーチ」とは、踵骨内側（つまり踵骨の載距突起部分）から舟状骨および第１楔状骨を通って第１中足骨先端（つまり足の拇指球部）へと伸びる領域である。
【０００８】
本発明では、伸縮部が足の内側縦アーチに対応する部分またはその一部の領域に配置され、非伸縮部が伸縮部を除く内甲側領域および外甲側領域に配置されている（請求項２参照）。
【０００９】
本発明では、伸縮部および非伸縮部の境界面が実質的にフラットな面を有している（請求項３参照）。これにより、当該アッパー構造がサッカーシューズ等のボールを蹴るシューズに適用された場合に、ボールキック時の感触を損なうのを防止でき、ボールに対するコントロール性を向上できる。ここで、「実質的に」という文言を入れたのは、伸縮部単体または非伸縮部単体のそれぞれの表面ほどフラットな面ではないが、伸縮部および非伸縮部の境目に大きな段差や凹凸等がなく、シューズの使用上フラットとみなし得るものを含めるためである（以下、本明細書中において同様）。
【００１０】
本発明では、境界面が伸縮部および非伸縮部の各々の端部の縫製により形成されている（請求項４参照）。
【００１１】
本発明では、境界面に縫い目が現れていない（請求項５参照）。これにより、ボールに対するコントロール性をさらに向上できる。
【００１２】
本発明に係るシューズは、着用者の足を覆うアッパーと、アッパーの下部に設けられるアウトソールとを備え、アッパーの内甲側領域の一部を伸縮部から構成しかつ外甲側領域を非伸縮部から構成するとともに、伸縮部を足の内側縦アーチに対応する部分またはその一部の領域に配置し、アウトソールの底面において、足の拇指球部領域、子指球部領域および踵骨の載距突起部分にそれぞれ対応する位置を結んでできる三角形状領域またはその内部に溝を形成している（請求項６参照）。
【００１３】
本発明によれば、アウトソールの底面において、足の拇指球部領域、子指球部領域および踵骨の載距突起部分にそれぞれ対応する位置を結んでできる三角形状領域またはその内部の一部の領域に溝を形成したことにより、当該三角形状領域の屈曲性が向上しており、アウトソールプレート本体の拇指球部領域が踵部領域に対して捩れやすくなっている。これにより、ターン動作時には、アウトソールの底面を地面に対して十分に接地させることができ、地面に対するグリップ力を大きくできるとともに、ターンを行う方向への脚の傾斜角度を大きくでき、その結果、ターンを行う方向への地面反力を十分に得ることができ、素早いターンを実現できるようになる。
【００１４】
本発明においては、このような素早いターン動作時に、蹴り出す足がアッパーの外甲側に急激に移動しようとした際でも、アッパーの外甲側領域の非伸縮部が足の外甲側を確実に保持してホールド性を向上できる。また、素早いターン動作時の急激な足の捩じれに対してもアッパーの内甲側の伸縮部が確実に追従してフィット性を向上できる。さらに、本発明では、伸縮部が足の内側縦アーチに対応する部分またはその一部の領域に配置されているので、ターン動作時の足の捩じれに対する伸縮部の追従性を高めることができ、ターン動作時のフィット性を一層向上できる。
【００１５】
本発明では、アウトソール底面の溝が複数本形成されており、これらの溝は、子指球部領域またはその近傍領域に対応する位置を起点として内甲側に向かうにしたがい扇状に分布している（請求項７参照）。この場合には、ターン動作時に、アウトソールの拇指球部領域が子指球部領域またはその近傍領域に対応する位置の回りに徐々に屈曲するので、アウトソールの屈曲をよりスムーズに行えるようになる。
【発明の効果】
【００１６】
以上のように、本発明に係るシューズのアッパー構造によれば、アッパーの外甲側領域を非伸縮部から構成したことにより、ターン動作時に蹴り出す足がアッパーの外甲側に移動しようとした際には、アッパーの外甲側領域に配置された非伸縮部が足の外甲側を保持して足をホールドでき、これにより、ターン動作時のホールド性を向上できる。しかも、本発明においては、アッパーの内甲側領域の一部を伸縮部から構成したので、伸縮部がターン動作時の足の捩じれに追従でき、これにより、ターン動作時のフィット性を向上できる。また、本発明では、伸縮部を足の内側縦アーチに対応する部分またはその一部の領域に配置したので、ターン動作時の足の捩じれに対する伸縮部の追従性を高めることができ、ターン動作時のフィット性を一層向上できる。
【図面の簡単な説明】
【００１７】
【図１】本発明の一実施例によるアッパー構造を備えたシューズの平面概略図である。
【図２】前記シューズ（図１）の内甲側側面図である。
【図３】前記シューズ（図１）の外甲側側面図である。
【図４】前記アッパー構造（図１）において伸縮部および非伸縮部の境界部分の断面概略図である。
【図５】図４の変形例を示す図である。
【図６】図４の他の変形例を示す図である。
【図７】図４のさらに他の変形例を示す図である。
【図８】前記シューズ（図１）の底面概略図であって、アウトソール底面を示している。
【図９】前記アッパー底面（図８）と足の骨格構造の位置関係を示す図である。
【図１０】図８のX-X線断面図である。
【図１１】図８のXI-XI線断面図である。
【図１２】本発明の変形例によるアッパー構造を備えたシューズの平面概略図である。
【図１３】前記シューズ（図１２）の内甲側側面図である。
【図１４】前記シューズ（図１２）の外甲側側面図である。
【発明を実施するための形態】
【００１８】
以下、本発明の実施例を添付図面に基づいて説明する。
図１ないし図１１は本発明の一実施例によるアッパー構造が採用されたシューズを示している。ここでは、サッカーシューズを例にとって説明する。なお、以下の説明文中、前方（前側/前）および後方（後側/後）とは、シューズにおける前後方向の位置関係を表し、上方（上側/上）および下方（下側/下）とは、シューズにおける上下方向の位置関係を表すものとする。
【００１９】
図１ないし図３に示すように、シューズ１は、着用者の足を覆うように足の踵部からつま先部まで配設されたアッパー２を有している。アッパー２は、内甲側の一部の領域（この例では中足部領域）に設けられた伸縮部２０（黒色で着色した部分）と、内甲側領域の残りの領域および外甲側領域に設けられた非伸縮部２１（グレーで着色した部分）とから構成されている。
【００２０】
伸縮部２０は、相対的に伸縮性の高い素材から構成されており、伸縮部２０の表地としてはたとえばポリウレタン等が用いられ、裏地としてはたとえばポリエステルおよびポリウレタン等のメッシュ素材やニット素材等が用いられている。なお、裏地は単一素材から構成するようにしてもよい。また、表地および裏地ともその他の素材を用いるようにしてもよい。例えばスパンデックスのような弾性繊維を含む伸縮性素材から構成するようにしてもよい。ここで、スパンデックスとは、ポリウレタンを溶剤に溶かして紡糸した弾性繊維のことである。非伸縮部２１は、相対的に伸縮性の低い素材から構成されており、非伸縮部２１の表地としてはたとえば天然皮革や人工皮革、合成皮革、ポリウレタン、ナイロン等が用いられ、裏地としてはたとえばメッシュ素材が用いられている。
【００２１】
アッパー２の足甲上部には、履き口１０に連通して前方に延びる開口部が形成されており、当該開口部に舌革部１１が配置されている。この例では、舌革部１１がアッパー２の内甲側領域と一体に連設されており、伸縮部２０と同様に黒色で着色されているが、舌革部１１は非伸縮部２１と同様の素材から構成するようにしてもよい。また、当該開口部に沿って複数のハトメ孔１２が貫通形成されており、ハトメ孔１２には靴紐１３が挿通している。
【００２２】
アッパー２の下部には、アウトソール３が接着等で固着されている。アウトソール３は薄肉のプレート状部材であって、好ましくは硬質弾性部材から構成されており、具体的には、熱可塑性ポリウレタン（ＴＰＵ）やポリアミド（ＰＡ）、ポリアミドエラストマー（ＰＡＥ）、ＡＢＳ樹脂等の熱可塑性樹脂、またはエポキシ樹脂等や不飽和ポリエステル樹脂等の熱硬化性樹脂から構成されている。アウトソール３の底面３Ｓには、複数のクリーツ３０、３１が設けられている。クリーツ３０は前足部領域に配置されており、クリーツ３１は踵部領域に配置されている。
【００２３】
アッパー２の伸縮部２０および非伸縮部２１の境界部分の断面を図４に示す。同図に示すように、伸縮部２０および非伸縮部２１の境界部分においては、伸縮部２０の端部２０Ｅおよび非伸縮部２１の端部２１Ｅがいずれも裏側に折り返されており、これらループ状の各折返し部が縫糸２５で縫製されている。境界部分の表側（つまり伸縮部２０の表面２０ａおよび非伸縮部２１の表面２１ａ）には、縫糸２５が現れていない。このような縫製方法は、一般に「縫い割り」と呼称されている。同図に示すように、伸縮部２０および非伸縮部２１の境界部分は、実質的にフラットな境界面から形成されている。
【００２４】
アウトソール３の底面３Ｓには、図８に示すように、複数の溝４１〜４５からなる溝４が形成されている。各溝４１〜４５は、前足部領域Ｆの後部側領域において外甲寄りの部位を起点として内甲側に向かうにしたがい概略扇状に分布しており、各クリーツ３０とオーバラップすることなく、各クリーツ３０を避けつつ配設されている。各溝４１〜４５は、外甲側から内甲側に向かうにしたがい、徐々に湾曲しつつ延びており、曲線状または概略直線状の溝になっている。隣り合う各溝の間隔は、外甲側領域よりも内甲側領域の方が広くなっており、外甲側から内甲側に向かうにしたがい、徐々にまたは段階的に広くなっている。
【００２５】
図９は、アウトソール３の各部位と足の骨格構造との位置関係を示す底面概略図である。同図において、第１趾基節骨ＰＰ１と第１趾中足骨ＭＢ１との間の第１中足趾節関節ＭＰ１の周囲に分布する円形状の一点鎖線領域が拇指球部領域ＴＥであり、同様に、第５趾基節骨ＰＰ５と第５趾中足骨ＭＢ５との間の第５中足趾節関節ＭＰ５の周囲に分布する円形状の一点鎖線領域が子指球部（小指球部）領域ＨＥである。また、踵骨ＣＣの載距突起部分ＳＴを円形の斜線領域で示している。なお、同図中、ＣＵは立方骨を示し、ＮＡは舟状骨を示している。
【００２６】
溝４は、足の拇指球部領域ＴＥ内の部位、子指球部領域ＨＥ内の部位および踵骨ＣＣの載距突起部分ＳＴにそれぞれ対応する位置を結んでできる三角形状領域ＴＲ（二点鎖線参照）に配置されている。三角形状領域ＴＲは、好ましい例として、拇指球部領域ＴＥ内の後部側に位置する部位ＴＥ１（円形の斜線領域参照）と、子指球部領域ＨＥ内の中央部の部位と、載距突起部分ＳＴの中央部の部位とを結んで形成されている。
【００２７】
溝４は、三角形状領域ＴＲ内において、外甲側から内甲側に向かうにしたがい斜め後方に延びている。溝４は、この例では、三角形状領域ＴＲの内部の一部の領域に分布しているが、三角形状領域ＴＲの全域に分布させるようにしてもよい。溝４の起点は、この例では、子指球部領域ＨＥの近傍において三角形状領域ＴＲの外側に配置されているが、三角形状領域ＴＲの境界線上またはその内部、あるいは子指球部領域ＨＥの内部に配置するようにしてもよい。
【００２８】
図９から分かるように、前足部領域Ｆにおいて内甲側のクリーツ３０は拇指球部領域ＴＥに対応する位置に、外甲側のクリーツ３０は子指球部領域ＨＥに対応する位置にそれぞれ配置されており、踵部領域Ｈにおいて内甲側のクリーツ３１は載距突起部分ＳＴの近傍に配置されている。溝４の起点は、前足部領域Ｆの内外甲側の各クリーツ３０の間のいずれかの部位に配置されている。
【００２９】
溝４の横断面形状については、内甲側領域では、図８のX-X線断面である図１０に示すように、各溝４１〜４５が概略三角形状を有しており、外甲側領域では、図８のXI-XI線断面である図１１に示すように、各溝４１〜４５が概略円弧形状を有しているが（図１０、図１１ではハッチング省略）、内甲側領域および外甲側領域の双方において、同一の横断面形状を有するようにしてもよい。各溝４１〜４５の深さは、この例では、内甲側領域および外甲側領域においていずれもｄとなっているが、双方の領域で深さを変えるようにしてもよい。なお、図１０、図１１中、符号３Ｓ’は、アウトソール３の足裏当接側の面を示している。
【００３０】
図８および図９に示すように、三角形状領域ＴＲの外甲側領域には、当該三角形状領域ＴＲの剛性よりも剛性の高い高剛性領域部３Ａおよび３Ｂが設けられている。高剛性領域部３Ａ、３Ｂは、好ましくは硬質弾性部材から構成されており、具体的には、熱可塑性ポリウレタン（ＴＰＵ）やポリアミド（ＰＡ）、ポリアミドエラストマー（ＰＡＥ）、ＡＢＳ樹脂等の熱可塑性樹脂、またはエポキシ樹脂等や不飽和ポリエステル樹脂等の熱硬化性樹脂から構成されている。また、高剛性領域部３Ａ、３Ｂは、炭素繊維やアラミド繊維、ガラス繊維等を強化用繊維とし、熱硬化性樹脂や熱可塑性樹脂をマトリックス樹脂とした繊維強化プラスチック（ＦＲＰ）から構成するようにしてもよい。なお、これらの高剛性領域部３Ａおよび３Ｂは省略することも可能である。
【００３１】
アッパー２の伸縮部２０は、好ましくは、足の内側縦アーチに対応する部分または内側縦アーチの一部の領域に対応する部分に配置されている。ここで、「内側縦アーチ」とは、踵骨内側つまり踵骨の載距突起部分ＳＴ（図９）から舟状骨ＮＡおよび第１楔状骨を通って第１趾中足骨ＭＢ１先端つまり足の拇指球部ＴＥ（同図）へと伸びる領域である。本実施例では、図２に示すように、アッパー２の伸縮部２０の下部が足の内側縦アーチの一部の領域に対応する部分に配置されている。伸縮部２０の後側縁部は足甲上部に向かって略直線状に足囲方向に延びており、前側縁部は後方側に屈曲しつつ足甲上部に向かって延びている。なお、前側縁部についても、後側縁部と同様に、足甲上部に向かって略直線状に足囲方向に延設するようにしてもよい。
【００３２】
アッパー２の伸縮部２０の伸長率は、７〜１５％、好ましくは１０〜１２％に設定されており、非伸縮部２１の伸長率は、５％未満に設定されている。ここで、伸縮部２０および非伸縮部２１の伸長率の測定は以下のようにして行う。
（１）試験方法
ＪＩＳ Ｌ １０９６ ８．１４．１ 「織物及び編物の生地試験方法」Ａ法（ストリップ法）に準拠した定速伸長法による。
試験片を引張試験機でつかんで引っ張った後、伸長率を測定する。
（２）試験条件
試験片のつかみ間隔：  ２００ｍｍ
引張速度：  ２００ｍｍ／ｍｉｎ．
（３）伸長率の計算方法
伸長率（％）＝（Ｌ１−Ｌ０）／Ｌ０×１００
Ｌ０：  つかみ間隔
Ｌ１：  荷重２９．４Ｎの作用時のつかみ間隔
ここで、ＪＩＳでは、荷重１４．７Ｎ（１．５ｋｇｆ）の作用時の伸長率を定めているが、任意の荷重でよいと記されているため、ここでは２９．４Ｎを採用した。
（４）試験結果
試験片として、伸縮部２０については、伸縮性のある編物のメッシュ素材（ポリエステル糸およびウレタン糸からなるメッシュ）に伸縮性のあるＰＵフィルム（厚み約０．３ｍｍ）およびホットメルト接着剤を熱圧着したものを用意し、非伸縮部２１については、伸縮しにくい織物のメッシュ素材およびホットメルトを人工皮革に熱圧着したものを用意して、引張試験を行った結果は、以下のとおりである。
伸縮部２０の伸長率：  １１．１％
非伸縮部２１の伸長率：  ３．８％
【００３３】
次に、本実施例の作用効果について説明する。
本アッパー構造においては、アッパー２の外甲側領域が非伸縮部２１から構成されているので（図１、図３参照）、ターン動作時に蹴り出す足がアッパー２の外甲側に移動しようとした際には、アッパー２の外甲側領域に配置された非伸縮部２１が足の外甲側を保持して足をホールドし、これにより、ターン動作時のホールド性を向上できる。しかも、この場合には、アッパー２の内甲側領域の一部である中足部領域（または足の内側縦アーチの一部の領域に対応する部分）が伸縮部２０から構成されているので（図１、図２参照）、伸縮部２０がターン動作時の足の捩じれに追従することができ、これにより、ターン動作時のフィット性を向上できる。
【００３４】
また、伸縮部２０および非伸縮部２１の境界面には段差がなく、実質的にフラットな面になっているので（図４参照）、当該アッパー構造がサッカーシューズ等のボールを蹴るシューズに適用された場合に、ボールキック時の感触を損なうのを防止でき、ボールに対するコントロール性を向上できる。しかも、伸縮部２０および非伸縮部２１の境界面に縫い目が現れていないことにより（同図参照）、ボールに対するコントロール性をより向上できる。
【００３５】
さらに、アウトソール３の底面３Ｓにおいて、足の拇指球部領域ＴＥ、子指球部領域ＨＥおよび踵骨ＣＣの載距突起部分ＳＴにそれぞれ対応する位置を結んでできる三角形状領域ＴＲにまたはその内部の一部の領域に溝４が形成されているので（図８、図９参照）、三角形状領域ＴＲの屈曲性が向上しており、アウトソール３の拇指球部領域ＴＥが踵部領域Ｈに対して捩れやすくなっている。これにより、ターン動作時には、アウトソール３の底面３Ｓを地面に対して十分に接地させることができ、地面に対するグリップ力を大きくできるとともに、ターンを行う方向への脚の傾斜角度を大きくでき、その結果、ターンを行う方向への地面反力を十分に得ることができ、素早いターンを実現できるようになる。
このような素早いターン動作時に、蹴り出す足がアッパー２の外甲側に急激に移動しようとした際でも、アッパー２の外甲側領域の非伸縮部２１が足の外甲側を確実に保持して足をホールドするので、ホールド性を向上できる。また、素早いターン動作時の急激な足の捩じれに対してもアッパー２の内甲側の伸縮部２０が確実に追従するので、フィット性を向上できる。
【００３６】
また、隣り合う各溝４１〜４５の間隔が外甲側から内甲側に向かうにしたがい徐々に広くなっているので、アウトソール３において拇指球部領域ＴＥに対応する領域が踵部領域Ｈに対して屈曲する際に、後方側の溝４５から前方側の溝４１にかけて段階的に徐々に屈曲することができ、これにより、アウトソール３の屈曲をスムーズに発生させることができる。さらに、三角形状領域ＴＲの外甲側領域に三角形領域ＴＲの剛性よりも剛性が高い高剛性領域３Ａ、３Ｂが設けられているので、三角形状領域ＴＲがその外甲側の高剛性領域３Ａ、３Ｂよりも相対的に屈曲しやすくなっており、三角形状領域ＴＲの屈曲性が相対的に向上している。
【００３７】
以上、本発明に好適な実施例について説明したが、本発明の適用はこれに限定されるものではなく、本発明には種々の変形例が含まれる。以下に変形例のいくつかの例を挙げておく。なお、各変形例を示す図面において、前記実施例と同一符号は同一または相当部分を示している。
【００３８】
＜第１の変形例＞
前記実施例では、アッパー２の伸縮部２０および非伸縮部２１の境界部分において、伸縮部２０の端部２０Ｅおよび非伸縮部２１の端部２１Ｅを縫糸２５で「縫い割り」により縫製した例を示したが（図４参照）、本発明の適用はこれに限定されない。
【００３９】
図５ないし図７は縫製の仕方の他の例を示している。
図５においては、前記実施例と同様に、伸縮部２０の端部２０Ｅおよび非伸縮部２１の端部２１Ｅが裏側に折り返されてこれらループ状の各折返し部が縫糸２５で縫製されているが、同図に示すものでは、さらに、縫糸２５を挟んで左右の部分が別の縫糸２６により縫製されている。このような縫製方法は、一般に「縫い押え」と呼称されている。同図に示すように、伸縮部２０および非伸縮部２１の境界部分は、実質的にフラットな境界面から形成されている。
【００４０】
図６に示すものでは、伸縮部２０の端部２０Ｅの上に非伸縮部２１の端部２１Ｅが重ねられて縫糸２５で縫製されており、このような縫製方法は、一般に「重ね縫い」と呼称されている。同図に示すものでは、さらに、伸縮部２０および非伸縮部２１の境界部分の上に薄い樹脂製シート（たとえばポリウレタン（ＰＵ）シート等）２７が熱圧着されている。これにより、境界部分の表側には縫糸２５が現れておらず、境界部分がよりフラットに近い境界面から形成されている。
【００４１】
図７に示すものでは、伸縮部２０の端部２０Ｅと非伸縮部２１の端部２１Ｅとが互いに突き合わされて縫糸２５で縫製されており、このような縫製方法は、一般に「突き合わせ縫い」と呼称されている。また、図６に示すものと同様に、伸縮部２０および非伸縮部２１の境界部分の上に薄いＰＵシート等の樹脂製シート２７が熱圧着されている。これにより、境界部分の表側には縫糸２５が現れておらず、境界部分がより一層フラットに近い境界面から形成されている。
【００４２】
＜第２の変形例＞
図１２ないし図１４は、本発明の変形例によるアッパー構造が採用されたシューズを示している。
前記実施例では、アッパー２の伸縮部２０が内甲側領域の一部の領域である中足部領域（つまり内側縦アーチの一部の領域に対応する部分）または内側縦アーチに対応する部分に設けられた例を示したが、この変形例では、伸縮部２０は、中足部領域から後方側にかけての内甲側領域に設けられている。図１２および図１３に示すように、伸縮部２０の前端縁部の位置および形状は前記実施例に示すものと同様であるが、伸縮部２０の後端縁部は踵後端まで延びている（図１２および図１４参照）。なお、この例では、踵後端における伸縮部２０の後端縁部の形状が、踵後端を外甲側から内甲側にかけて斜め下方に横切るように形成されているが、後端縁部の形状はこれに限定されず、踵後端を外甲側から内甲側にかけて斜め上方に横切るように形成されていてもよく、あるいは、踵後端において上下方向に真っ直ぐに延設されていてもよい。
【００４３】
＜第３の変形例＞
前記実施例では、アウトソール３の底面３Ｓに形成される溝４が外甲側から内甲側にかけて徐々に湾曲しつつ斜め後方に向かって配設された例を示したが、溝４の傾きや形状はこれに限定されるものではなく、その他の傾きでもよく、直線状に配設されていてもよい。また、溝４は、前後方向中心線Ｌを跨いで配設されていなくてもよく、前後方向中心線Ｌを挟んでいずれか一方の領域（つまり内甲側領域または外甲側領域）に配設されていてもよい。溝４の本数や隣り合う各溝４の間隔も前記実施例に示すものには限定されず、その他の本数でもよく、各溝４が平行に配設されていてもよい。さらに、溝の横断面形状についても、前記実施例に示すものには限定されず、その他の任意の形状をとり得る。
【００４４】
＜その他の変形例＞
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００４５】
＜他の適用例＞
前記実施例では、本発明によるアッパー構造がサッカーシューズに適用された例を示したが、本発明の適用はこれに限定されるものではなく、本発明は、ラグビーシューズやアメリカンフットボールシューズ、フットサルシューズ等の他のスポーツシューズにも同様に適用可能である。
【産業上の利用可能性】
【００４６】
以上のように、本発明は、シューズ用アッパー構造に有用であり、とくに、ターン動作時のフィット性およびホールド性の向上を要求されるスポーツシューズに適している。
【符号の説明】
【００４７】
１：  シューズ
２：  アッパー
２０：  伸縮部
２１：  非伸縮部
２５：  縫糸
３：  アウトソール
３Ｓ：  底面
４：  溝
ＴＥ：  拇指球部領域
ＨＥ：  子指球部領域
ＳＴ：  載距突起部分
ＣＣ：  踵骨
ＴＲ：  三角形状領域
【先行技術文献】
【特許文献】
【００４８】
【特許文献１】特開２００５−３２９２７０号公報（段落［０００８］〜［００１１］、［００３２］〜［００３４］および［００５６］〜［００５７］、ならびに図３〜図６参照）
【図１】
0006026583.tif 000002
【図２】
0006026583.tif 000003
【図３】
0006026583.tif 000004
【図４】
0006026583.tif 000005
【図５】
0006026583.tif 000006
【図６】
0006026583.tif 000007
【図７】
0006026583.tif 000008
【図８】
0006026583.tif 000009
【図９】
0006026583.tif 000010
【図１０】
0006026583.tif 000011
【図１１】
0006026583.tif 000012
【図１２】
0006026583.tif 000013
【図１３】
0006026583.tif 000014
【図１４】
0006026583.tif 000015